(57)【要約】【課題】携帯電話機の電波が医療機器やペースメーカー等の作動に影響するのを防止しつつ、携帯電話使用規制建物内での携帯電話機の使用を可能にすることにある。【解決手段】携帯電話使用規制建物１内に設置され、人が入り得る容積を持つとともに、周囲を電磁シールドされたシールドボックス３と、前記シールドボックス内の携帯電話機と前記建物外の携帯電話中継局との間の、前記建物外のアンテナ２を介する無線通信を、前記建物内で前記シールドボックス外へ電波が漏洩しないように中継する中継手段４と、を具えてなる、シールドボックスシステムである。【選択図】図１
2006121271.tif 000002
【特許請求の範囲】
【請求項１】
携帯電話使用規制建物内に設置され、人が入り得る容積を持つとともに、周囲を電磁シールドされたシールドボックスと、
前記シールドボックス内の携帯電話機と前記建物外の携帯電話中継局との間の、前記建物外のアンテナを介する無線通信を、前記建物内で前記シールドボックス外へ電波が漏洩しないように中継する中継手段と、
を具えてなる、シールドボックスシステム。
【請求項２】
前記中継手段は、
前記シールドボックス内のアンテナと、
そのシールドボックス内のアンテナを介して前記シールドボックス内の携帯電話機との間で無線通信を行うとともに前記建物外のアンテナを介して携帯電話中継局との間で無線通信を行うことで前記携帯電話機と前記携帯電話中継局との間の無線通信を中継する無線中継装置と、
前記シールドボックス内のアンテナおよび前記建物外のアンテナと前記無線中継装置とをそれぞれ接続する、周囲を電磁シールドされた中継ケーブルと、
を有している、請求項１記載のシールドボックスシステム。
【請求項３】
前記中継手段は、
前記シールドボックス内の携帯電話機のアンテナと前記建物外のアンテナとを電気的に接続する、周囲をシールドされた中継ケーブルを有している、請求項１記載のシールドボックスシステム。
【請求項４】
請求項１から３までの何れか記載のシールドボックスシステムと、
前記シールドボックスを使用する度に課金する課金手段と、
を具えてなる、シールドボックスビジネスシステム。
【請求項５】
請求項２記載のシールドボックスシステムを具え、
前記課金手段は、コインの投入により所定時間前記無線中継装置を稼動させるタイマー式スイッチを有することを特徴とする、請求項４記載のシールドボックスビジネスシステム。
【請求項６】
請求項３記載のシールドボックスシステムを具え、
前記課金手段は、コインの投入により前記シールドボックスのドアを外から開き得るように開錠する施錠機構を有することを特徴とする、請求項４記載のシールドボックスビジネスシステム。
【発明の詳細な説明】
【技術分野】
【０００１】
この発明は、病院や医療関係施設の建物等の携帯電話使用規制建物内での携帯電話機の不都合ない使用を可能にするシールドボックスシステムおよびそれを用いたシールドボックスビジネスシステムに関するものである。
【背景技術】
【０００２】
現状では、病院や医療関係施設等の建物内では、電波が医療機器やペースメーカー等の作動に影響する可能性があることから、特殊なものを除いて携帯電話機の使用は規制（同義的に禁止）されている。
【発明の開示】
【発明が解決しようとする課題】
【０００３】
ところで、病院等の建物内の公衆電話機は台数や設置場所が限られており、緊急で使用した場合でも必ずしも近くにあるとは限らず、近くにあっても全て使用中の場合もある。また、連絡先の電話番号が携帯電話機内だけに記録されている場合もある。
【０００４】
それゆえ、病院等の建物内にいて携帯電話機を使用して緊急で連絡を取ることが必要な場合があり得るが、かかる場合でも、従来は一旦病院等の建物外に出るしか対応方法がないという不都合があった。
【課題を解決するための手段】
【０００５】
この発明は、上記課題を有利に解決することを目的とするものであり、請求項１記載のこの発明のシールドボックスシステムは、携帯電話使用規制建物内に設置され、人が入り得る容積を持つとともに、周囲を電磁シールドされたシールドボックスと、前記シールドボックス内の携帯電話機と前記建物外の携帯電話中継局との間の、前記建物外のアンテナを介する無線通信を、前記建物内で前記シールドボックス外へ電波が漏洩しないように中継する中継手段と、を具えてなるものである。
【０００６】
また、請求項４記載のこの発明のシールドボックスビジネスシステムは、請求項１から３までの何れか記載のシールドボックスシステムと、前記シールドボックスを使用する度に課金する課金手段と、を具えてなるものである。
【発明の効果】
【０００７】
かかるシールドボックスシステムによれば、病院等の携帯電話使用規制建物内に設置され、人が入り得る容積を持つとともに周囲を電磁シールドされたシールドボックス内に、人が入って携帯電話機を使用すると、中継手段が、そのシールドボックス内の携帯電話機とその建物外の携帯電話中継局との間の、その建物外のアンテナを介する無線通信を、その建物内でシールドボックス外へ電波が漏洩しないように中継するので、携帯電話機の電波が医療機器やペースメーカー等の作動に影響するのを防止しつつ、携帯電話使用規制建物内での携帯電話機の使用を可能にすることができる。
【０００８】
またかかるシールドボックスビジネスシステムによれば、携帯電話機の電波が医療機器やペースメーカー等の作動に影響するのを防止しつつ、携帯電話使用規制建物内での携帯電話機の使用を可能にすることができるとともに、シールドボックスを使用する度に、シールドボックス内での携帯電話機の使用者やシールドボックスの設置者に対し課金手段により課金して利益を上げることができる。
【０００９】
なお、この発明のシールドボックスシステムにおいては、前記中継手段は、前記シールドボックス内のアンテナと、そのシールドボックス内のアンテナを介して前記シールドボックス内の携帯電話機との間で無線通信を行うとともに前記建物外のアンテナを介して携帯電話中継局との間で無線通信を行うことで前記携帯電話機と前記携帯電話中継局との間の無線通信を中継する無線中継装置と、前記シールドボックス内のアンテナおよび前記建物外のアンテナと前記無線中継装置とをそれぞれ接続する、周囲を電磁シールドされた中継ケーブルと、を有していても良く、このようにすれば、建物内のシールドボックスと建物外のアンテナとが比較的離れていても、無線中継装置によって信号の減衰を補って通信を中継することができ、また携帯電話機をそのまま無線で使用できるので、使用を簡単に行うことができる。
【００１０】
また、この発明のシールドボックスシステムにおいては、前記中継手段は、前記シールドボックス内の携帯電話機のアンテナと前記建物外のアンテナとを電気的に接続する、周囲をシールドされた中継ケーブルを有していても良く、このようにすれば、建物内のシールドボックスと建物外のアンテナとが極めて近くてケーブルによる減衰がほとんどない場合に、シールドボックスシステムを安価に構成することができる。
【００１１】
一方、この発明のシールドボックスビジネスシステムは、請求項２記載のシールドボックスシステムを具え、前記課金手段が、コインの投入により所定時間前記無線中継装置を稼動させるタイマー式スイッチを有していても良く、このようにすれば、シールドボックス内での携帯電話機の使用者等に対し確実に課金することができる。すなわち、コインを現金にすれば携帯電話機の使用者に直接課金でき、コインをシールドボックスの設置者が発行するものとすればその発行枚数に応じてシールドボックスの設置者に課金することができる。
【００１２】
また、この発明のシールドボックスビジネスシステムは、請求項３記載のシールドボックスシステムを具え、前記課金手段が、コインの投入により前記シールドボックスのドアを外から開き得るように開錠する施錠機構を有していても良く、このようにしても上記タイマー式スイッチの場合と同様にして、シールドボックス内での携帯電話機の使用者等に対し確実に課金することができる。
【発明を実施するための最良の形態】
【００１３】
以下、本発明の実施の形態を実施例によって、図面に基づき詳細に説明する。ここに、図１は、この発明のシールドボックスシステムの一実施例を具える、この発明のシールドボックスビジネスシステムの一実施例を設置した病院の建物を一部切欠いて模式的に示す斜視図、図２（ａ），（ｂ），（ｃ）および（ｄ）は、上記実施例のシールドボックスシステムを構成するシールドボックスを示す正面図、平面図、左側面図および右側面図、そして図３は、上記実施例のシールドボックスビジネスシステムを示す構成図であり、図中符号１は、携帯電話使用規制建物としての病院の建物、２はその建物１の屋上に設置された建物外のアンテナ、３は上記実施例のシールドボックスシステムを構成するシールドボックスをそれぞれ示す。
【００１４】
この実施例のシールドボックスシステムは、図１に示すように、図示例では三階建ての建物１の最上階である三階のフロアに設置されたシールドボックス３と、そのシールドボックス３内の携帯電話機と建物１外の図示しない携帯電話中継局との間の、建物１外の上記アンテナ２を介する無線通信を、建物１内でシールドボックス３外へ電波が漏洩しないように中継する中継手段４とを具えている。
【００１５】
ここで、シールドボックス３は、図２（ａ）〜図２（ｄ）に示すように、各々ステンレス鋼板製の中空のパネルの内部に注入発泡ウレタンを充填して形成した正面ドア３ａ、左側板３ｂ、右側板３ｃ、背板３ｄ、天井板３ｅおよび床板３ｆを有し、それらのうちで左側板３ｂ、右側板３ｃ、背板３ｄ、天井板３ｅおよび床板３ｆは相互に固定金具で結合されて正面側が開いた箱状組立体を構成し、その箱状組立体の正面側に正面ドア３ａが開閉可能に組み付けられて構成されており、正面ドア３ａと左側板３ｂと右側板３ｃとにはボックス内を確認可能なように金属メッシュを挟んだガラス板を用いたシールドウインドー３ｇが嵌着固定され、また左側板３ｂと右側板３ｃとにはボックス内を換気可能なように金属メッシュを用いた換気用シールドパネル３ｈが嵌着固定されている。
【００１６】
そして、上記箱状組立体の左側板３ｂ、右側板３ｃ、背板３ｄ、天井板３ｅおよび床板３ｆの相互の隙間には金属メッシュを用いた図示しないシールドパッキンが介装され、その箱状組立体の正面側端部と正面ドア３ａとの間にも金属メッシュを用いた図示しないシールドパッキンが介装され、さらにその箱状組立体と正面ドア３ａとの間には、正面ドア３ａが開け放しにされないようスプリングの力でドアを自動的に閉じる図示しないドアクローザーが介装されており、かかる構成によりシールドボックス３は、内部に人が入り得る容積を持つとともに、周囲の金属部分をアースに接続されて内部を電磁シールドされている。なお図２中の寸法は例示であり、その単位はｍｍである。
【００１７】
一方、中継手段４は、図３に示すように、シールドボックス３内に設置されたアンテナ４ａと、建物１内に設けられ、そのアンテナ４ａを介してシールドボックス３内の携帯電話機５との間で無線通信を行うとともに建物１外のアンテナ２を介して図示しない携帯電話中継局との間で無線通信を行うことで携帯電話機５と上記携帯電話中継局との間の無線通信を中継する通常の無線中継装置４ｂと、シールドボックス３内のアンテナ４ａおよび建物１外のアンテナ２と無線中継装置４ｂとをそれぞれ接続する、周囲を電磁シールドされた通常の同軸ケーブルからなる中継ケーブル４ｃとを有しており、各中継ケーブル４ｃには、基地局からの携帯電話機送信出力抑圧指令を解除するためおよびスプリアスを抑えるためにアッテネーター４ｄが介装され、また建物１外のアンテナ２と無線中継装置４ｂとの間の中継ケーブル４ｃにはアンテナ２側の端部に通常のプリアンプ４ｅが介装されている。
【００１８】
さらに、図３に示すように、シールドボックス３内には課金手段としてのタイマー式スイッチ６が設けられており、このタイマー式スイッチ６は、コインの投入により所定時間無線中継装置４ｂを商用ＡＣ電源に接続して無線中継装置４ｂを稼動させる。このタイマー式スイッチ６と上記実施例のシールドボックスシステムとを具えて、上記実施例のシールドボックスビジネスシステムは構成されている。
【００１９】
かかる実施例のシールドボックスシステムによれば、病院の建物１内に設置され、人が入り得る容積を持つとともに周囲を電磁シールドされたシールドボックス３内に、人が入って携帯電話機５を使用すると、中継手段４が、そのシールドボックス３内の携帯電話機５とその建物１外の携帯電話中継局との間の、その建物１外のアンテナ２を介する無線通信を、その建物１内でシールドボックス３外へ電波が漏洩しないように中継するので、携帯電話機５の電波が医療機器やペースメーカー等の作動に影響するのを防止しつつ、病院の建物１内での携帯電話機５の使用を可能にすることができる。
【００２０】
しかもこの実施例のシールドボックスシステムによれば、中継手段４が、シールドボックス３内のアンテナ４ａと、建物１内の無線中継装置４ｂと、シールドボックス３内のアンテナ４ａおよび建物１外のアンテナ２と無線中継装置４ｂとをそれぞれ接続する、周囲を電磁シールドされた中継ケーブル４ｃとを有しているので、建物１内のシールドボックス３と建物１外のアンテナ２とが比較的離れていても、無線中継装置４ｂによって信号の減衰を補って通信を中継することができ、また携帯電話機５をそのまま無線で使用できるので、その使用を簡単に行うことができる。
【００２１】
そして、上記実施例のシールドボックスビジネスシステムによれば、上記実施例のシールドボックスシステムの効果が得られるのに加えて、コインの投入により所定時間無線中継装置４ｂを稼動させるタイマー式スイッチ６により、シールドボックス３内での携帯電話機５の使用者等に対し確実に課金することができる。
【００２２】
以上、図示例に基づき説明してが、この発明は上記例に限定されるものでなく、特許請求の範囲の記載範囲内で適宜変更し得るものであり、例えば、建物は、病院の建物に限られず医療関係施設等の建物でも良く、また中継手段は、一台の無線中継装置に対し分配器を介して、複数個のシールドボックス内に設置されたアンテナをそれぞれ接続するようにしても良い。さらに中継手段は、シールドボックス内の携帯電話機のアンテナと建物外のアンテナとを電気的に接続する、周囲をシールドされた中継ケーブルを有するものでも良く、また課金手段は、コインの投入によりシールドボックスのドアを外から開き得るように開錠する施錠機構を有するものでも良い。
【産業上の利用可能性】
【００２３】
かくしてこの発明のシールドボックスシステムによれば、病院等の携帯電話使用規制建物内に設置され、人が入り得る容積を持つとともに周囲を電磁シールドされたシールドボックス内に、人が入って携帯電話機を使用すると、中継手段が、そのシールドボックス内の携帯電話機とその建物外の携帯電話中継局との間の、その建物外のアンテナを介する無線通信を、その建物内でシールドボックス外へ電波が漏洩しないように中継するので、携帯電話機の電波が医療機器やペースメーカー等の作動に影響するのを防止しつつ、携帯電話使用規制建物内での携帯電話機の使用を可能にすることができる。
【００２４】
またこの発明のシールドボックスビジネスシステムによれば、携帯電話機の電波が医療機器やペースメーカー等の作動に影響するのを防止しつつ、携帯電話使用規制建物内での携帯電話機の使用を可能にすることができるとともに、シールドボックスを使用する度に、シールドボックス内での携帯電話機の使用者やシールドボックスの設置者に対し課金手段により課金して利益を上げることができる。
【図面の簡単な説明】
【００２５】
【図１】この発明のシールドボックスシステムの一実施例を具える、この発明のシールドボックスビジネスシステムの一実施例を設置した病院の建物を一部切欠いて模式的に示す斜視図である。
【図２】（ａ），（ｂ），（ｃ）および（ｄ）は、上記実施例のシールドボックスシステムを構成するシールドボックスを示す正面図、平面図、左側面図および右側面図である。
【図３】上記実施例のシールドボックスビジネスシステムを示す構成図である。
【符号の説明】
【００２６】
１  建物
２  アンテナ
３  シールドボックス
３ａ  正面ドア
３ｂ  左側板
３ｃ  右側板
３ｄ  背板
３ｅ  天井板
３ｆ  床板
３ｇ  シールドウインドー
３ｈ  換気用シールドパネル
４  中継手段
４ａ  アンテナ
４ｂ  無線中継装置
４ｃ  中継ケーブル
４ｄ  アッテネーター
４ｅ  プリアンプ
５  携帯電話機
６  タイマー式スイッチ
【図１】
2006121271.tif 000003
【図２】
2006121271.tif 000004
【図３】
2006121271.tif 000005